(57)【要約】【課題】  電源スイッチまわりの省スペース化及び操作部の簡素化を図ることができ、デザイン性にも優れ、かつ省エネ性及び信頼性の向上した加熱調理器を提供すること。【解決手段】  食材を入れた被加熱調理器具を加熱するための加熱調理器に、ＯＮ−ＯＦＦ操作を押圧操作とする電源スイッチ２８を設け、電源スイッチ２８を、少なくとも二つの端子５２間を導通あるいは遮断するコンタクト４８と、コンタクト４８を収容したハウジング３８と、ハウジング３８に昇降自在に取り付けられ押圧操作時に押圧力を加えるボタン４４とで構成した。また、ハウジング３８に発光素子４６を収容するとともに、ボタン４４に光を透過する材料で形成された導光部材７４を取り付け、本体への通電状態を光の点灯で表示する光透過用窓部８６をボタン４４に形成して、光透過用窓部８６に導光部材７４の一部を嵌入した。【選択図】図６
2010205489.tif 000002
【特許請求の範囲】
【請求項１】
食材を入れた被加熱調理器具を加熱するための加熱調理器であって、
本体と、該本体の天面に設けられ被加熱調理器具を載置する天板と、該天板の下方に設けられた加熱手段と、該加熱手段に電力を供給する電源回路と、外部電源からの前記本体への電力供給を接続あるいは遮断する電源スイッチを備え、
前記電源スイッチのＯＮ−ＯＦＦ操作を押圧操作とし、前記電源スイッチが、少なくとも二つの第１端子間を導通あるいは遮断するコンタクトと、該コンタクトを収容したハウジングと、該ハウジングに昇降自在に取り付けられ押圧操作時に押圧力を加えるボタンとを有し、前記ハウジングに発光素子を収容するとともに、前記ボタンに光を透過する材料で形成された導光部材を取り付け、前記本体への通電状態を光の点灯で表示する光透過用窓部を前記ボタンに形成して、前記光透過用窓部に前記導光部材の一部を嵌入したことを特徴とする加熱調理器。
【請求項２】
前記ボタンが上壁部と側壁部とを有し、前記光透過用窓部は前記上壁部に形成され、前記導光部材が前記ボタンの上壁部に沿って配置されていることを特徴とする請求項１に記載の加熱調理器。
【請求項３】
前記ボタンが上壁部と側壁部とを有し、前記光透過用窓部は前記上壁部に形成され、前記導光部材を前記上壁部から前記発光素子に向かって伸長したことを特徴とする請求項１に記載の加熱調理器。
【請求項４】
前記発光素子に接続された二つの第２端子と前記少なくとも二つの第１端子を一列に並べ、前記本体内に設けられた基板にコネクタを介して接続したことを特徴とする請求項１乃至３のいずれか１項に記載の加熱調理器。
【請求項５】
前記ハウジングの内部に固定されたベースをさらに備え、前記第１端子及び第２端子を前記ベースに固定したことを特徴とする請求項４に記載の加熱調理器。
【請求項６】
前記コンタクトを囲繞する防水壁を前記ベースに形成し、前記コンタクトと前記発光素子を前記防水壁で分離したことを特徴とする請求項５に記載の加熱調理器。
【請求項７】
前記ハウジングに昇降自在に取り付けられたプランジャをさらに備え、前記ボタンを前記プランジャに取り付けたことを特徴とする請求項１乃至６のいずれか１項に記載の加熱調理器。
【請求項８】
前記コンタクトを押圧するコンタクト押圧部を前記プランジャに形成したことを特徴とする請求項７に記載の加熱調理器。
【請求項９】
前記加熱手段が、交流磁界を発生して被加熱調理器具を加熱する誘導加熱コイルであり、前記加熱調理器が誘導加熱調理器であることを特徴とする請求項１乃至８のいずれか１項に記載の加熱調理器。
【発明の詳細な説明】
【技術分野】
【０００１】
本発明は、一般家庭の台所や業務用の厨房等で使用される組込型あるいは据え置き型の加熱調理器に関する。
【背景技術】
【０００２】
従来の加熱調理器は、前面に操作面を有する操作部に、電源スイッチ、火力調節スイッチ等の複数のスイッチと表示部とが設けられている。この加熱調理器においては、電源スイッチの通電状態は、電源スイッチの近傍に設けられた通電表示ランプの点灯によって表示している（例えば、特許文献１参照）。
【０００３】
【特許文献１】特開平８−３１２９６８号公報
【発明の開示】
【発明が解決しようとする課題】
【０００４】
しかしながら、特許文献１に記載の構成では、電源スイッチ及びその通電状態を示す表示部が占めるスペースを飛躍的に減少させるのは難しく、操作部や表示部の複雑さの解消にも限度があった。
【０００５】
また、電源スイッチの中には、ボタン全体が点灯するものも一部工業設備等に用いられているが、光が目立ちすぎて落ち着きが得られず、台所等で使用する一般家庭用の調理機器には不向きであり、他の調理機器との調和も重要視されつつある昨今ではデザイン性の面でも難がある。
【０００６】
本発明は、従来技術の有するこのような問題点に鑑みてなされたものであり、電源スイッチまわりの省スペース化及び操作部の簡素化を図ることができ、デザイン性にも優れ、かつ省エネ性及び信頼性の向上した加熱調理器を提供することを目的としている。
【課題を解決するための手段】
【０００７】
上記目的を達成するために、本発明は、食材を入れた被加熱調理器具を加熱するための加熱調理器であって、本体と、該本体の天面に設けられ被加熱調理器具を載置する天板と、該天板の下方に設けられた加熱手段と、該加熱手段に電力を供給する電源回路と、外部電源からの前記本体への電力供給を接続あるいは遮断する電源スイッチを備え、前記電源スイッチのＯＮ−ＯＦＦ操作を押圧操作とし、前記電源スイッチが、少なくとも二つの第１端子間を導通あるいは遮断するコンタクトと、該コンタクトを収容したハウジングと、該ハウジングに昇降自在に取り付けられ押圧操作時に押圧力を加えるボタンとを有し、前記ハウジングに発光素子を収容するとともに、前記ボタンに光を透過する材料で形成された導光部材を取り付け、前記本体への通電状態を光の点灯で表示する光透過用窓部を前記ボタンに形成して、前記光透過用窓部に前記導光部材の一部を嵌入している。
【発明の効果】
【０００８】
本発明に係る加熱調理器によれば、通電状態の表示部である光透過用窓部を電源スイッチのボタン部に設け、表示部を発光させる発光素子を電源スイッチ内に配設したので、電源スイッチまわりの省スペース化及び簡素化を達成することができ、デザイン性にも優れている。また、光透過用窓部に導光部材の一部を嵌入させることで、発光素子からの光の拡散による減衰を極力抑えて導光することができ、表示部をより明るく照らすことができるので、発光素子への使用エネルギーを低減することができ省エネも達成することができる。
【発明を実施するための最良の形態】
【０００９】
第１の発明は、食材を入れた被加熱調理器具を加熱するための加熱調理器であって、本体と、本体の天面に設けられ被加熱調理器具を載置する天板と、天板の下方に設けられた加熱手段と、加熱手段に電力を供給する電源回路と、外部電源からの本体への電力供給を接続あるいは遮断する電源スイッチを備え、電源スイッチのＯＮ−ＯＦＦ操作を押圧操作とし、電源スイッチが、少なくとも二つの第１端子間を導通あるいは遮断するコンタクトと、コンタクトを収容したハウジングと、ハウジングに昇降自在に取り付けられ押圧操作時に押圧力を加えるボタンとを有し、ハウジングに発光素子を収容するとともに、ボタンに光を透過する材料で形成された導光部材を取り付け、本体への通電状態を光の点灯で表示する光透過用窓部をボタンに形成して、光透過用窓部に導光部材の一部を嵌入したものである。
【００１０】
この構成により、電源スイッチまわりの省スペース化及び簡素化を達成することができ、デザイン性にも優れた操作部を実現できる。また、光透過用窓部に導光部材の一部を嵌入させることで、発光素子からの光の拡散による減衰を極力抑えて導光するができ表示部をより明るく照らすことができるので、発光素子への使用エネルギーを低減することができ省エネも達成できる。さらに、発光素子としてＬＥＤを採用すると、電流を少なくできるので、長寿命化も図れ、信頼性が向上する。
【００１１】
また、発光素子とコンタクトを一つのハウジング内に設けたので、発光素子の充電部とコンタクトの防水対策を一括して行うことができ、構成が簡素で安価である。
【００１２】
第２の発明は、ボタンが上壁部と側壁部とを有し、光透過用窓部を上壁部に形成して導光部材をボタンの上壁部に沿って配置したので、ボタンの高さを低く設定することができ、ボタンの小型化ひいては電源スイッチまわりの省スペース化を達成することができる。
【００１３】
第３の発明は、ボタンが上壁部と側壁部とを有し、光透過用窓部を上壁部に形成して導光部材を上壁部から発光素子に向かって伸長したので、発光素子からの光の拡散による減衰を低減でき、発光素子からの照射光をより有効に光透過用窓部に伝達することができる。
【００１４】
第４の発明は、発光素子に接続された二つの第２端子と少なくとも二つの第１端子を一列に並べ、本体内に設けられた基板にコネクタを介して接続したので、コネクタの小型化あるいは簡素化を達成でき、さらに省スペースになる。
【００１５】
第５の発明は、第１端子及び第２端子をハウジングの内部に固定されたベースに固定したので、第４の発明と同様の効果を奏することができる。
【００１６】
第６の発明は、コンタクトを囲繞する防水壁をベースに形成し、コンタクトと発光素子を防水壁で分離したので、コンタクトの防水性がさらに向上する。
【００１７】
第７の発明は、ボタンをハウジングに昇降自在に取り付けられたプランジャに取り付けたので、電源スイッチの構成が簡素である。
【００１８】
第８の発明は、コンタクトを押圧するコンタクト押圧部をプランジャに形成したので、電源スイッチの構成が簡素である。
【００１９】
第９の発明は、交流磁界を発生して被加熱調理器具を加熱する誘導加熱コイルを加熱手段として採用することにより、本発明に係る加熱調理器を誘導加熱調理器にも適用することができる。
【００２０】
以下、本発明の実施の形態について、図面を参照しながら説明するが、この実施の形態によって本発明が限定されるわけではない。
【００２１】
図１は、本発明に係る加熱調理器の１例である誘導加熱調理器の概略構成を示している。この誘導加熱調理器は、その本体２が、例えば台所のキャビネットの天面に設けた開口部に上から落とし込んで組み込まれる。
【００２２】
図１に示されるように、本体２の天面には、鍋等の被加熱調理器具を載置する天板４が設けられ、天板４は電磁誘導によって過熱されない高耐熱性ガラス等の材質で構成されている。また、天板４には、食材を入れた被加熱調理器具を載置するための複数の加熱部４ａ，４ｂ、４ｃが印刷により形成されている。天板４の外周は、トップフレーム６により囲まれており、トップフレーム６は、天板４とともに本体２の上面を形成している。また、天板４の前部には、複数の操作キーを有する上面操作部７が設けられている。
【００２３】
天板４の下方には、加熱手段としての複数の誘導加熱コイル８が所定の間隔で設けられており、各誘導加熱コイル８はコイルベース１０により本体２内の所定の位置に保持されている。誘導加熱コイル８には、本体２の内部に設けられた電源回路１２により高周波電力が供給され、誘導加熱コイル８及び電源回路１２は、本体２の後部に配置された冷却ファン１４により冷却される。また、電源回路１２の側方には、生魚等の被調理物を入れて焼くためのグリル（図示せず）が設けられており、グリルの前部には被調理物を出し入れするための開閉用扉１６が取り付けられている。
【００２４】
さらに、コイルベース１０には、被加熱調理器具から放射された赤外線を受光して被加熱調理器具の温度を計測する温度センサとしての赤外線センサ１８と、赤外線センサ１８の近傍に配置され、被加熱調理器具の載置位置を視認するための光を出射する発光体（図示せず）が設けられている。
【００２５】
天板４の前部下方には操作部ユニット２０が設けられており、操作部ユニット２０は、機器の運転状態等を表示する出力部及び外部操作により機器の運転を制御するための信号入力部等を有する制御回路２２等をカバー２４内に収納したものである。
【００２６】
また、本体２の前面には、複数の操作キーを有する前面操作部２６が設けられており、前面操作部２６の上方には、外部電源からの本体２への電力供給を接続したり遮断する電源スイッチ２８（図２参照）が取り付けられている。
【００２７】
図１及び図２に示されるように、前面操作部２６は本体２に対し出没自在の構成となっており、前面操作部２６に取り付けられた飾り板３０の上部を押圧することにより手前に回転して複数の操作キーが設けられた操作面が現れる。
【００２８】
食材を被加熱調理器具に入れて誘導加熱調理器で調理するに際し、被加熱調理器具を天板４の任意の加熱部４ａ，４ｂ、４ｃに載置して電源スイッチ２８を押圧し、上面操作部７あるいは前面操作部２６を操作して加熱開始を指示すると、電源回路１２はインバータ電源(図示せず)を介して加熱コイル８に高周波電流を供給する。加熱コイル８に高周波電流が供給されると、加熱コイル８は交流磁界を発生し、被加熱調理器具は誘導加熱されてその温度が上昇する。
【００２９】
図２及び図３は前面操作部２６及び電源スイッチ２８を示しており、前面操作部２６及び電源スイッチ２８は、一つのユニット（電源スイッチユニット）として本体２に保持されたユニットハウジング３２に取り付けられている。ユニットハウジング３２には、前面操作部２６を出没自在に収容するための前面操作部収容空間３２ａが形成されており、前面操作部収容空間３２ａの上方には、電源スイッチ２８を取り付けるための電源スイッチ取付部３２ｂが設けられている。
【００３０】
ユニットハウジング３２は本体２の前面に形成された開口部（図示せず）に前方より取り付けられるが、取り付けに際し、前面操作部２６及び電源スイッチ２８がユニットハウジング３２にまず取り付けられ、前面操作部２６に飾り板３０が取り付けられる。また、飾り板３０の上方には、取付フレーム３４を介して飾り板３６が取り付けられる。
【００３１】
次に、電源スイッチ２８の構成を図４乃至図７を参照しながら説明するが、電源スイッチ２８に関する以下の説明において、「上」「下」等の方向性を示す用語は、電源スイッチ２８のみを図６のように配置した場合に使用するものとする。
【００３２】
図４乃至図７に示されるように、電源スイッチ２８は、略直方体のスイッチハウジング（以下、単に「ハウジング」という）３８と、ハウジング３８の底部内側に固定されたベース４０と、ハウジング３８に昇降自在に取り付けられたプランジャ４２と、プランジャ４２の上部に取り付けられたボタン４４とを備えている。
【００３３】
ベース４０は、その上面に隣接して取り付けられたＬＥＤ等の発光素子４６及びコンタクト４８と、発光素子４６に接続されベース４０の裏面から外部に延びる二つの端子５０と、コンタクト４８に接続されベース４０の裏面から外部に延びる三つの端子５２とを備えている。これら五つの端子５０，５２は、ベース４０に接着剤で固定されている。
【００３４】
三つの端子５２のうち、一つの端子（図６では左側の端子）５２はコンタクト４８の一端に常時接続されており、他の二つの端子５２はコンタクト４８の他端に選択的に接続される。本実施の形態では、三つの端子５２のうち、二つの端子（図６では左側と中央の端子）５２を使用して電源のＯＮ−ＯＦＦ操作が行われる。また、これら五つの端子５０，５２は直線状に配列されている。
【００３５】
また、コンタクト４８には、接点圧力を加えるための引張ばね５４が取り付けられている。
【００３６】
コンタクト４８は、ベース４０の上面より上方に突出するようにベース４０と一体的に形成された防水壁５６により囲繞されており、隣接配置された発光素子４６及びコンタクト４８は、防水壁５６により分離されている。また、防水壁５６の上端面はコンタクト４８より上方に位置している。
【００３７】
図４及び図５に示されるように、ハウジング３８は四つの側壁を有し、対向する二つの長辺側側壁３８ａの下部にはそれぞれ二つの係止穴５８が形成されており、これら二つの係止穴５８に、ベース４０の長辺側端面に形成された二つの突起６０をそれぞれ嵌入させることによりベース４０はハウジング３８の底部内側に固定される。
【００３８】
また、ハウジング３８の短辺側側壁３８ｂの各々には、その下部より上方に延びる湾曲した取付片６２が一体的に形成されている。取付片６２は外方に向かって凸状に湾曲し、その上部外面には切欠６２ａが形成されている。さらに、ハウジング３８の上部には、全周にわたって鍔部６４が形成されており、鍔部６４の下面は、取付片６２の上端部と所定の長さ離隔している。
【００３９】
図６に示されるように、ハウジング３８の短辺側側壁３８ｂの各々の内面には、プランジャ４２を係止するための係止突起６６が形成されており、その上面は傾斜面となっている。
【００４０】
一方、ハウジング３８に昇降自在に収容されたプランジャ４２は、図６及び図７に示されるように、四つの側壁と上部壁とを有し、対向する二つの短辺側側壁４２ａの下端部には、ハウジング３８の係止突起６６と嵌合する係止突起６８が形成されており、その下面は傾斜面となっている。さらに係止突起６８の上方には、ボタン４４を係止するための係止突起７０が形成されており、その上面は傾斜面となっている。
【００４１】
また、プランジャ４２の上部壁には、その内面より下方に垂下されたコンタクト押圧部７２が形成されており、コンタクト押圧部７２は、ハウジング３８に形成された押圧部ガイド７３に遊挿され、昇降動作時、コンタクト押圧部７２は押圧部ガイド７３にガイドされる。さらに、発光素子４６の上方におけるコンタクト押圧部７２の側面には、略柱状で光を透過する材料で形成された導光部材７４を保持するための導光部材保持用凸部７６が形成され、導光部材保持用凸部７６に対向する短辺側側壁の上端部には、導光部材保持用切欠７８が形成されている。
【００４２】
ボタン４４も、プランジャ４２と同様、四つの側壁と上部壁とを有し、対向する二つの短辺側側壁４４ａの下部には係止穴８０がそれぞれ形成されており、この係止穴８０に、プランジャ４２の係止突起７０を嵌入させることによりボタン４４はプランジャ４２に固定される。
【００４３】
また、ボタン４４の四つの側壁の外面には、突設部８２が外方に向かって突出するように形成されており、一つの長辺側側壁の突設部８２と二つの短辺側側壁の突設部８２には、上方に向かって開口した導水溝８４が形成されている。なお、導水溝８４が形成された一つの長辺側側壁とは、図４に示されるように、電源スイッチ２８を本体２に取り付けた場合に、上方に位置する側壁（上壁部）のことであり、下方に位置する側壁（下壁部）には導水溝は形成されていない（図７参照）。
【００４４】
ボタン４４の上部壁の端部（図６では左側の端部）には矩形開口部（光透過用窓部）８６が形成されており、上部壁に沿って配置された導光部材７４は、プランジャ４２の導光部材保持用凸部７６と導光部材保持用切欠７８で保持され、導光部材７４の一部に形成されたレンズ部がこの開口部８６に嵌入している。
【００４５】
なお、ベース４０とプランジャ４２との間には複数の圧縮ばね（図示せず）が設けられており、圧縮ばねの弾性力によりプランジャ４２とボタン４４は一体的に上方に付勢されている。
【００４６】
電源スイッチ２８を組み立てるに際し、発光素子４６を上にした状態で、ベース４０をハウジング３８に下方から嵌入させると、ベース４０の突起６０がハウジング３８の係止穴５８に嵌入し、ベース４０はハウジング３８に保持される。また、導光部材７４を取り付けたプランジャ４２をボタン４４に下方から嵌入させると、プランジャ４２の係止突起７０がボタン４４の係止穴８０に嵌入し、ボタン４４はプランジャ４２に保持される。
【００４７】
次に、ベース４０の所定位置に複数の圧縮ばねを配置し、プランジャ４２をハウジング３８に上方から嵌入させると、プランジャ４２の係止突起６８がハウジング３８の係止突起６６と嵌合し、プランジャ４２は圧縮ばねの弾性力により上方に付勢された状態でハウジング３８に保持される。
【００４８】
組立が完了した電源スイッチ２８は、図２及び図３に示されるように、ユニットハウジング３２の電源スイッチ取付部３２ｂに取り付けられ、さらに取付フレーム３４を介して飾り板３６が取り付けられる。また、ユニットハウジング３２の前面操作部収容空間３２ａには前面操作部２６が取り付けられ、前面操作部２６と電源スイッチ２８が組み付けられたユニットハウジング３２が本体２の所定の部位に取り付けられた後、電源スイッチ２８の端子５０，５２は、本体２の内部の基板（図示せず）に接続されたコネクタ８８に接続される。
【００４９】
図８は、電源スイッチ２８が取り付けられた本体２の電源スイッチ取付部３２ｂを示している。
【００５０】
図２及び図８に示されるように、電源スイッチ取付部３２ｂは、電源スイッチ２８を囲繞する壁部を有し、壁部は、底壁部９０と、底壁部９０の左右の端部より上方に立設された対向する二つの側壁部９２と、二つの側壁部９２の上端部を繋ぐ上壁部９４とで構成されている。電源スイッチ取付部３２ｂの内部には、矩形開口部９６ａが形成されたスイッチ取付用リブ９６が周囲の壁部９０，９２，９４と一体的に形成されている。
【００５１】
スイッチ取付用リブ９６の開口部９６ａの幅は、スイッチハウジング３８の左右の鍔部６４の外端面間の距離より短く設定されており、開口部９６ａの高さ（上下方向の長さ）は、スイッチハウジング３８の上下の鍔部６４の外端面間の距離より短く設定されている。
【００５２】
また、対向する二つの側壁部９２の内面間の距離は、スイッチハウジング３８の左右の鍔部６４の外端面間の距離、及び、ボタン４４の二つの短辺側側壁に形成された突設部８２の外端面間の距離より僅かに長く設定されており、対向する底壁部９０と上壁部９４の内面間の距離は、スイッチハウジング３８の上下の鍔部６４の外端面間の距離、及び、ボタン４４の二つの長辺側側壁に形成された突設部８２の外端面間の距離より僅かに長く設定されている。したがって、電源スイッチ取付部３２ｂの四つの壁部９０，９２，９４とスイッチハウジング３８の鍔部６４との間、あるいは、電源スイッチ取付部３２ｂの四つの壁部９０，９２，９４とボタン４４の突設部８２との間には、所定（例えば、０．５ｍｍ程度）のクリアランスが設けられている。
【００５３】
さらに、スイッチ取付用リブ９６の後面から各側壁部９２の前端面までの長さは、ハウジング３８の取付片６２に形成された切欠６２ａの後縁部からボタン４４の突設部８２の後面までの長さより長く、切欠６２ａの後縁部から突設部８２の前面までの長さより短く設定されており、電源スイッチ取付部３２ｂの各壁部９０，９２，９４の先端部（前端部）は、突設部８２の外側に対向して近接配置され、各壁部９０，９２，９４の先端部と突設部８２との間に所定のクリアランスが設けられている。
【００５４】
電源スイッチ２８を電源スイッチ取付部３２ｂに取り付けるに際し、電源スイッチ２８をスイッチ取付用リブ９６の開口部９６ａに嵌入させると、電源スイッチ２８のハウジング３８に形成された取付片６２が内方に向かって弾性変形し、ハウジング３８の鍔部６４の後面がスイッチ取付用リブ９６の前面に当接し、スイッチ取付用リブ９６が取付片６２の切欠６２ａに係止されることで、電源スイッチ２８は電源スイッチ取付部３２ｂに保持される。
【００５５】
電源スイッチ２８を電源スイッチ取付部３２ｂに取り付けた後、取付フレーム３４及び飾り板３６が本体２に取り付けられるが、取付フレーム３４及び飾り板３６には、ボタン４４が遊挿される矩形開口部３４ａ，３６ａがそれぞれ形成されており、これらの開口部３４ａ，３６ａの幅は、ボタン４４の幅より僅かに長く設定され、開口部３４ａ，３６ａの高さ（上下方向の長さ）は、ボタン４４の高さより僅かに長く設定されている。
【００５６】
また、飾り板３６の開口部３６ａは、ボタン４４の突設部８２の外形より小さく、取付フレーム３４及び飾り板３６を本体２に取り付けると、飾り板３６の開口部３６ａの周縁部がボタン４４の突設部８２の直前に位置するように寸法設定されており、ボタン４４の前面は飾り板３６の前面と略面一になるように設定されている。
【００５７】
図９は導光部材７４の変形例を示しており、この導光部材７４Ａは、ボタン４４の上壁部から発光素子４６に向かって伸長され、上述した導光部材７４に比べ、導光部材７４Ａの入光面（発光素子４６との対向面）は、発光素子４６に近接配置されている。この構成の場合、導光部材７４Ａの入光面の形状を、入光面における発光素子４６からの光の出射領域より大きくなるように寸法設定するのが好ましく、このように寸法設定することで、発光素子４６から出射された光の大部分を導光部材７４Ａによりボタン４４の開口部８６に導くことができる。
【００５８】
次に、上記構成の電源スイッチ２８の作用を説明する。
【００５９】
本体２に取り付けられた電源スイッチ２８は、食材を入れた被加熱調理器具を任意の加熱部４ａ，４ｂ、４ｃに載置して食材を加熱するに際し、ボタン４４を圧縮ばねの付勢力に抗して押圧すると、コンタクト押圧部７２で端子５２の一つ（図６の左側の端子）に接続されたコンタクト４８の一端が後方に押されてコンタクト４８が変形する。その結果、コンタクト４８の他端部が端子５２の別の一つ（図６の中央部の端子）に圧接され、二つの端子５２が導通することで、電源が投入される（ＯＮとなる）。その後、ボタン４４への押圧力を解除すると、圧縮ばねの弾性力によりボタン４４は元の位置（初期位置）に復帰する。
【００６０】
この電源スイッチ２８は、ボタン４４の押圧を維持している間のみ接点が切り替わる、所謂モーメンタリー式（はね返り式）のものである。
【００６１】
また、電源がＯＮ状態のときには、発光素子４６が点灯し、発光素子４６から出射した光が発光素子４６の前方に配置された導光部材７４で集光されて、ボタン４４の開口部８６に嵌入したレンズ部を介して本体前面側に出射するので、ユーザは電源のＯＮ（通電）状態をレンズ部から出射した光により視認することができる。
【００６２】
食材の加熱が終了し、電源をＯＦＦにする場合には、ボタン４４を圧縮ばねの付勢力に抗して再度押圧すると、コンタクト４８が電源投入時と同様の動作を行って、電源がＯＦＦになる。また、電源がＯＦＦ状態のときには、発光素子４６は消灯している。
【００６３】
上述したように、導光部材７４は集光効率が向上するように作用するので、輝度が低い（寿命が長い）発光素子４６を使用しても、ボタン４４の光透過用窓部８６により電源のＯＮ状態を容易に視認することができる。
【００６４】
また、基板上にスイッチを設けた従来構成の場合、基板の位置はスイッチの取付位置により必然的に決定され、基板の取付位置の自由度が極めて限定されているのに対し、本発明に係る加熱調理器の場合、電源スイッチ２８と基板との接続は、コネクタ８８を介して行われるため、基板の取付位置に制約がないことから、電源スイッチユニットの簡素化を図ることができる。
【００６５】
さらに、電源スイッチとして従来使用されていたシーソースイッチは、ＯＮ−ＯＦＦ操作にかかわらずその一部が本体前面より前方に突出していることから、加熱調理器の前で調理を行ったり、加熱調理器の前を通過するユーザの一部が誤って電源スイッチに触れると、電源がＯＮからＯＦＦに、あるいはＯＦＦからＯＮに切り替わる虞もある。しかしながら、本発明に係る加熱調理器に採用した電源スイッチ２８の操作は、押圧操作となっているので、電源スイッチ２８の前面を飾り板３６の前面と略面一に設定することで、誤操作を防止できるばかりでなく、デザイン性にも優れている。
【００６６】
また、電源スイッチ２８を本体２に取り付けると、突設部８２の外端面が、電源スイッチ取付部３２ｂの周囲の壁部に対向して近接配置されることになるので、電源スイッチ２８のガタを極力低減することができ、ひいては電源スイッチ取付部３２ｂからの電源スイッチ２８の抜けを防止することもできる。
【００６７】
加えて、電源スイッチ２８を本体２に取り付けると、飾り板３６がボタン４４の突設部８２の直前に位置するように寸法設定されており、上部及び左右の突設部８２には導水溝８４が形成されているので、電源スイッチ２８に水がかかったり、本体２の上部から水が流れてくることがあっても、電源スイッチ２８の奥への水の浸入は突設部８２により防止される。また、電源スイッチ２８に流れてきた水は導水溝８４に沿って下方に流れ落ちるので、電源スイッチ２８あるいは他の電気部品に悪影響を及ぼすことがない。すなわち、導水溝８４が形成された突設部８２は防水用突設部として作用する。
【００６８】
さらに、電源スイッチ２８の内部に水が浸入したとしても、コンタクト４８は防水壁５６で囲繞されているので、コンタクト４８あるいは端子５２等が水で濡れることがなく、不測の短絡を防止することができる。
【００６９】
なお、上述した実施の形態は誘導加熱調理器を例にとり説明したが、本発明は誘導加熱調理器に限定されるものではなく、外部から電力の供給を受けて調理を行う他の加熱調理器にも適用できる。
【００７０】
また、本実施の形態で採用した電源スイッチ２８はモーメンタリー式のものであるが、スイッチのＯＮ状態とＯＦＦ状態でボタンの位置が変化する、所謂ロック式スイッチを採用することもできる。
【産業上の利用可能性】
【００７１】
本発明に係る加熱調理器は、電源スイッチまわりの省スペース化及び操作部の複雑さを解消することができ、デザイン性にも優れ、かつ省エネ性及び信頼性も向上することができるので、電力を使用して調理を行う加熱調理機全般に適用できる。
【図面の簡単な説明】
【００７２】
【図１】本発明に係る加熱調理器の概略構成を示す分解斜視図
【図２】図１の加熱調理器に設けられた電源スイッチユニットの部分分解斜視図
【図３】図２の電源スイッチユニットの分解斜視図
【図４】図２の電源スイッチユニットに設けられた電源スイッチの斜視図
【図５】図４の電源スイッチの別の斜視図
【図６】図４の線Ａ−Ａに沿った断面図
【図７】図４の線Ｂ−Ｂに沿った断面図
【図８】図４の電源スイッチを図１の加熱調理器に取り付けた状態を示す部分水平断面図
【図９】図４の電源スイッチの内部に設けられた導光部材の変形例を示す断面図
【符号の説明】
【００７３】
２  本体、  ４  天板、  ４ａ，４ｂ、４ｃ  加熱部、  ６  トップフレーム、  
７  上面操作部、  ８  加熱コイル、  １０  コイルベース、  １２  電源回路、  
１４  冷却ファン、  １６  グリル開閉用扉、  １８  赤外線センサ、  
２０  操作部ユニット、  ２２  制御回路、  ２４  カバー、  ２６  前面操作部、  
２８  電源スイッチ、  ３０  飾り板、  ３２  ユニットハウジング、  
３２ａ  前面操作部収容空間、  ３２ｂ  電源スイッチ取付部、  ３４  取付フレーム、
３６  飾り板、  ３８  スイッチハウジング、  ３８ａ，３８ｂ  側壁、  
４０  ベース、  ４２  プランジャ、  ４４  ボタン、  ４４ａ  短辺側側壁、  
４６  発光素子、  ４８  コンタクト、  ５０，５２  端子、  ５４  引張ばね、
５６  防水壁、  ５８  係止穴、  ６０  突起、  ６２  取付片、  ６２ａ  切欠、
６４  鍔部、  ６６  係止突起、  ６８  係止突起、  ７０  係止突起、  
７２  コンタクト押圧部、  ７３  押圧部ガイド、  ７４，７４Ａ  導光部材、  
７６  導光部材保持用凸部、  ７８  導光部材保持用切欠、  ８０  係止穴、  
８２  突設部、  ８４  導水溝、  ８６  開口部、  ８８  コネクタ、  ９０  底壁部、
９２  側壁部、  ９４  上壁部、  ９６  スイッチ取付用リブ、  ９６ａ  開口部。
【図１】
2010205489.tif 000003
【図２】
2010205489.tif 000004
【図３】
2010205489.tif 000005
【図４】
2010205489.tif 000006
【図５】
2010205489.tif 000007
【図６】
2010205489.tif 000008
【図７】
2010205489.tif 000009
【図８】
2010205489.tif 000010
【図９】
2010205489.tif 000011